(57)【要約】【課題】箱体や室内等にて使用される加湿装置において，冷風感を感じることなく加湿空間を均等に加湿できる加湿装置を提供することを目的とする。【解決手段】給水タンク５の水は、水受部６から羽根４のパイプ８を通過し多孔質体７に供給される。運転を開始すると多孔質体７を備えた羽根４が回転することにより多孔質体７の水分は多孔質体７の表面と空気の接触により気化され加湿することができる。加湿空気は天井面の暖かい空気と供に攪拌することにより気化による冷風感を感じることなく部屋全体を均等に加湿することができる加湿装置１が得られる。【選択図】図１
2008281225.tif 000002
【特許請求の範囲】
【請求項１】
天井面から吊り下げるシャフトと、このシャフトの下方に接続するファンモーターと、このファンモーターに連結し回転により空気を送風する羽根と、加湿する水を給水する給水タンクを備え、前記羽根は先端に多孔質体と前記多孔質体に接続するパイプと前記給水タンクからの水を受ける水受部を備え、前記パイプを通して前記多孔質体に前記水受部の水を給水し前記羽根の回転により加湿することを特徴とする加湿装置。
【請求項２】
水受部の水位より高い位置に多孔質体を備えたことを特徴とする請求項１記載の加湿装置。
【請求項３】
制御手段と、加湿装置により加湿する加湿空間の湿度を検知する湿度センサーを備え、前記湿度センサーの信号から設定湿度に応じて前記制御手段により羽根の回転数を可変し加湿量を調整することを特徴とする請求項１または２に記載の加湿装置。
【請求項４】
給水タンクの渇水状態を検知する渇水検知手段と、前記渇水検知手段により前記給水タンクの渇水状態を検知すると前記給水タンクの渇水状態を報知する渇水報知手段を備えたことを特徴とする請求項１から３のいずれかに記載の加湿装置。
【請求項５】
水受部の渇水状態を検知する水受部渇水検知手段と、前記水受部渇水検知手段により前記水受部の渇水状態を検知すると前記水受部の渇水状態を報知する水受部渇水報知手段を備えたことを特徴とする請求項１から３のいずれかに記載の加湿装置。
【請求項６】
遅延タイマーを備え、加湿運転停止時に、前記遅延タイマーにより所定時間の間、多孔質体に水が給水されない程度に羽根を回転させることを特徴とする請求項２から５のいずれかに記載の加湿装置。
【請求項７】
羽根の多孔質体に結露した水滴の飛散を防止する飛散防止手段を備えたことを特徴とする請求項１から６のいずれかに記載の加湿装置。
【請求項８】
本体外部に外部給水タンクと、水受部に給水する水量を調節する水量調節手段を備え、外部給水タンクと水量調節手段を接続手段で接続することを特徴とする請求項５から７のいずれかに記載の加湿装置。
【請求項９】
水量調節手段に給水設備から給水する給水設備手段を接続することを特徴とする請求項５から７のいずれかに記載の加湿装置。
【請求項１０】
制御手段と、前記制御手段に加湿する加湿空間の加湿状態を報知する加湿報知手段と、加湿空間の湿度を検知する湿度センサーを備え、前記湿度センサーからの信号により前記加湿報知手段により加湿空間の加湿状態を報知することを特徴とする請求項１から９のいずれかに記載の加湿装置。
【請求項１１】
制御手段と、加湿する加湿空間の人を検知する人検知手段を備え、前記人検知手段の検知信号により運転あるいは停止することを特徴とする請求項１から１０のいずれかに記載の加湿装置。
【請求項１２】
ファンモーターの回転方向を反転させる切換スイッチを備え、前記切換スイッチにより送風方向を切換えることを特徴とする請求項１から１１のいずれかに記載の加湿装置。
【発明の詳細な説明】
【技術分野】
【０００１】
本発明は，箱体や室内等の空間を加湿する加湿装置に関するものである。
【背景技術】
【０００２】
従来、この種の加湿装置として、吸水したフィルターに室内の空気を吹き付け加湿するものが知られていた（例えば特許文献１参照）。
【０００３】
以下、加湿装置について図１３を参照しながら説明する。
【０００４】
図１３に示すように、本体ケース１０１内にはカートリッジ式の水槽１０２と、電動機１０３と、電動機１０３に直結したポンプ１０５と、水槽１０２の上部で、しかもポンプ１０５の外側に設けられ、吸湿する通気性の良いポリウレタンホームからなるフィルター１０４と、前記水槽１０２の水をフィルター１０４を介して吹き出すための電動機１０３に直結したプロペラファン１０６と、１０７は自動湿度コントロール装置であり、ポンプ１０５に直結した電動機１０３に接続された構成とし、自動湿度コントロール装置を設けた気化式加熱装置により室内の湿度に合った加湿が連続的にきめ細かくコントロールできるものである（特許文献１参照）。
【特許文献１】特開平７−３３２７３３号公報
【発明の開示】
【発明が解決しようとする課題】
【０００５】
このような従来の図１３の加湿装置では、室内の床あるいは台の上に置いて使用し、加湿フィルターに水分を吸水させフィルター表面と空気の接触により水分を気化させるため気化により温度の低下した空気が吹出され冷風感じるという課題があった。
【０００６】
また、室内の一部のみ加湿され室内全体を均等に加湿できないという課題があった。
【０００７】
本発明は、上記従来の課題を解決するもので、加湿による冷風感を感じることなく室内全体を均等に加湿することができる加湿装置を提供することを目的としている。
【課題を解決するための手段】
【０００８】
本発明の加湿装置は、上記目的を達成するために、天井面から吊り下げるシャフトと、このシャフトの下方に接続するファンモーターと、このファンモーターに連結し回転により空気を送風する羽根と、加湿する水を給水する給水タンクを備え、前記羽根は先端に多孔質体と前記多孔質体に接続するパイプと前記給水タンクからの水を受ける水受部を備え、前記パイプを通して前記多孔質体に前記水受部の水を給水し前記羽根の回転により加湿することができる構成としたものである。
【０００９】
この手段により、冷風感を無くし加湿空間を均等に加湿することができる加湿装置が得られる。
【００１０】
また、他の手段は、水受部の水位より高い位置に多孔質体を備えた構成としたものである。
【００１１】
この手段により、多孔質体と水を分離し、多孔質体にカビなどの発生を抑制し清潔に保つことができる加湿装置が得られる。
【００１２】
また、他の手段は、制御手段と、加湿装置により加湿する加湿空間の湿度を検知する湿度センサーを備え、前記湿度センサーの信号から設定湿度に応じて前記制御手段により羽根の回転数を可変し加湿量を調整することができる構成としたものである。
【００１３】
この手段により、加湿空間の湿度から設定湿度に応じて回転数を可変し加湿量を調整することができる加湿装置が得られる。
【００１４】
また、他の手段は、給水タンクの渇水状態を検知する渇水検知手段と、前記渇水検知手段により前記給水タンクの渇水状態を検知すると前記給水タンクの渇水状態を報知する渇水報知手段を備えた構成としたものである。
【００１５】
この手段により、給水タンクの水の渇水状態を報知することができる加湿装置が得られる。
【００１６】
また、他の手段は、水受部の渇水状態を検知する水受部渇水検知手段と、前記水受部渇水検知手段により前記水受部の渇水状態を検知すると前記水受部の渇水状態を報知する水受部渇水報知手段を備えた構成としたものである。
【００１７】
この手段により、水受部の水の渇水状態を報知することができる加湿装置が得られる。
【００１８】
また、他の手段は、遅延タイマーを備え、加湿運転停止時に、前記遅延タイマーにより所定時間の間、多孔質体に水が給水されない程度に羽根を回転させることができる構成としたものである。
【００１９】
この手段により、多孔質体を乾燥させ衛生状態を保つことができる加湿装置が得られる。
【００２０】
また、他の手段は、羽根の多孔質体に結露した水滴の飛散を防止する飛散防止手段を備えた構成としたものである。
【００２１】
この手段により、多孔質体から水滴が飛散することを防止することができる加湿装置が得られる。
【００２２】
また、他の手段は、本体外部に外部給水タンクと、水受部に給水する水量を調節する水量調節手段を備え、外部給水タンクと水量調節手段を接続手段で接続することができる構成としたものである。
【００２３】
この手段により、本体の軽量化と小型化することができる加湿装置が得られる。
【００２４】
また、他の手段は、水量調節手段に給水設備から給水する給水設備手段を接続することができる構成としたものである。
【００２５】
この手段により、給水タンクに給水する手間を省くことができる加湿装置が得られる。
【００２６】
また、他の手段は、制御手段と、前記制御手段に加湿する加湿空間の加湿状態を報知する加湿報知手段と、加湿空間の湿度を検知する湿度センサーを備え、前記湿度センサーからの信号により前記加湿報知手段により加湿空間の加湿状態を報知することができる構成としたものである。
【００２７】
この手段により、加湿空間の加湿状態を報知することができる加湿装置が得られる。
【００２８】
また、他の手段は、制御手段と、加湿する加湿空間の人を検知する人検知手段を備え、前記人検知手段の検知信号により運転あるいは停止することができる構成としたものである。
【００２９】
この手段により、人を検知し自動的に運転あるいは停止することができる加湿装置が得られる。
【００３０】
また、他の手段は、ファンモーターの回転方向を反転させる切換スイッチを備え、前記切換スイッチにより送風方向を切換えることができる構成としたものである。
【００３１】
この手段により、加湿空間の加湿を必要としない場合、送風機として利用することができる加湿装置が得られる。
【発明の効果】
【００３２】
本発明によれば、加湿空気は加湿空間の天井付近の暖気と供に加湿空間を循環することにより冷風感を無くし部屋全体を均等に加湿することができる加湿装置を提供できる。
【００３３】
また、多孔質体と水を分離し、カビなどの発生を抑制し清潔に保つことができる加湿装置を提供できる。
【００３４】
また、加湿空間の湿度から設定湿度に応じて回転数を可変し加湿量を調整することができる加湿装置を提供できる。
【００３５】
また、給水タンクの水の渇水状態を報知することができる加湿装置を提供できる。
【００３６】
また、水受部の水の渇水状態を報知することができる加湿装置を提供できる。
【００３７】
また、多孔質体を乾燥させ衛生状態を保つことができる加湿装置を提供できる。
【００３８】
また、多孔質体から水滴が飛散することを防止することができる加湿装置を提供できる。
【００３９】
また、本体の軽量化と小型化することができる加湿装置を提供できる。
【００４０】
また、給水タンクに給水する手間を省くことができる加湿装置を提供できる。
【００４１】
また、加湿空間の加湿状態を報知することができる加湿装置を提供できる。
【００４２】
また、人を検知し自動的に運転あるいは停止することができる加湿装置を提供できる。
【００４３】
また、加湿空間の加湿を必要としない場合、送風機として利用することができる加湿装置を提供できる。
【発明を実施するための最良の形態】
【００４４】
以下、本発明の実施の形態について図面を参照しながら説明する。
【００４５】
（実施の形態１）
図１に示すように、加湿装置１は加湿空間の天井面にシャフト２を固定具にて取付け固定し吊り下げられている。このシャフト２の下方にはファンモーター３が備えられ、ファンモーター３は、モータと羽根４を備え、モータにより羽根４が回転し空気を送風する。ファンモーター３には送風する羽根４と、給水タンク５からの水を受ける受水タンクなどの水受部６が連結されている。羽根４の先端には、例えば０．１μｍ〜１５μｍ程度の孔径の透湿性を持つセラミックスなどの多孔質体７を備え、水受部６と多孔質体７を接続するパイプ８が備えられ、水受部６の水はパイプ８を通り多孔質体７に給水される。給水タンク５はシャフト２に固定された設置枠９に設置され、給水タンク５の水は水受部６で受け、水受部６の水位は給水弁１０により一定に保たれる。給水タンク５の下部に、例えばバネを備えた給水弁１０を設けており、水受部６に給水弁１０から給水後、給水弁１０は水受部６で水封状態で使用される。蓋１１で覆われ、ファンモーター３下部にはファンモーター３の回転を制御する制御手段１２が配置されている。
【００４６】
上記構成において、給水タンク５の水は、給水弁１０を介して受水タンクなどの水受部６に給水され、水受部６と連通しているパイプ８を通って、多孔質体７に給水される。多孔質体７に給水されパイプ８を満たした水は水受部６の給水弁１０により水受部６の水位が一定に保たれる。外部スイッチまたはリモコン（図示せず）から運転開始信号が制御手段１２に送られるとファンモーター３に通電し運転を開始する。ファンモーター３の運転と供に多孔質体７を備えた羽根４が回転し送風が開始される。
【００４７】
このとき送風方向は天井面に向かって送風するようにファンモーター３を運転し羽根４を回転させる。羽根４の回転により多孔質体７に給水された水分は多孔質体７の表面と空気の接触により気化され加湿することができる。加湿空気は加湿空間の天井付近の暖気と供に加湿空間を循環し、送風による気流が直接当たらず気化による冷風感を感じることなく加湿空間を均等に加湿することができる。
【００４８】
（実施の形態２）
次に、本発明の実施の形態２について図面を参照しながら説明する。なお、実施の形態１と同一のものは同一番号を付し、その詳細な説明を省略する。
【００４９】
図２に示すように、図１の構成に加えて水受部６の水位より高い位置に高低差をもたせパイプ８ａと多孔質体７を備え、多孔質体７と水が分離するように構成する。
【００５０】
上記構成において、外部スイッチまたはリモコン（図示せず）から運転開始信号が制御手段１２に送られるとファンモーター３に通電し運転を開始する。ファンモーター３の運転と供に多孔質体７を備えた羽根４が回転し送風が開始される。羽根４が回転すると多孔質体７を備えた羽根４が回転する遠心力により多孔質体７に水が給水される。給水された水は多孔質体７の表面と空気の接触により気化され加湿することができる。次に外部スイッチまたはリモコン（図示せず）から停止信号が制御手段１２に送られるとファンモーター３の通電を停止する。羽根４の回転が停止すると、多孔質体７は水受部６の水位より高い位置に高低差をもたせ配置しているため多孔質体７と水の接触を分離することができる。水との接触を分離させることにより多孔質体７にカビなどが発生することを抑制し清潔に保つことができる。
【００５１】
（実施の形態３）
次に、本発明の実施の形態３について図面を参照しながら説明する。なお、実施の形態１または２と同一のものは同一番号を付し、その詳細な説明を省略する。
【００５２】
図３に示すように、図１または図２の構成に加えて制御手段１２に湿度センサー１３を備えたものである。湿度センサー１３は周囲湿度に基づいて検出信号を制御手段１２に出力する。制御手段１２にはあらかじめ基準周囲湿度が設定されており、湿度センサー１３の検出信号と基準周囲湿度の比較結果によりファンモーター３の回転数を可変し加湿量を調整する構成とする。
【００５３】
上記構成において、外部スイッチまたはリモコン（図示せず）から運転信号が制御手段１２に送られるとファンモーター３に通電し運転を開始する。ファンモーター３の運転と供に多孔質体７を備えた羽根４が回転し送風が開始される。羽根４が回転すると多孔質体７を備えた羽根４により多孔質体７に水が給水される。給水された水は多孔質体７の表面と空気の接触により気化され加湿することができる。湿度センサー１３の検出信号が制御手段１２に送られると基準周囲湿度との比較結果から基準周囲湿度より低い場合は制御手段１２によりファンモーター３の回転数を増加させ多孔質体７から加湿する加湿量を増加させる。また、基準周囲湿度より高い場合は制御手段１２によりファンモーター３の回転数を減少させ多孔質体７から加湿する加湿量を減少させることにより設定湿度に近づけることができる。
【００５４】
（実施の形態４）
次に、本発明の実施の形態４について図面を参照しながら説明する。なお、実施の形態１から３と同一のものは同一番号を付し、その詳細な説明を省略する。
【００５５】
図４に示すように、図１から図３のいずれかの構成に加えて給水タンク５内部に渇水検知手段１４として磁石を備えた給水フロートと、制御手段１２に渇水磁気スイッチ１５と、給水タンク５の渇水状態を報知する渇水報知手段１６としてＬＥＤを設け、渇水状態を報知する構成とする。
【００５６】
上記構成において、給水タンク５の水の減少と供に磁石を備えた給水フロートも下がる。給水フロートの渇水検知手段１４が渇水磁気スイッチ１５まで下がると渇水磁気近傍スイッチ１５が動作し動作信号が制御手段１２に送られる。動作信号により制御手段１２は渇水報知手段１６を動作させ給水タンク５が渇水状態になったことを報知することができる。
【００５７】
なお、本実施の形態４では、渇水報知手段１６としてＬＥＤを用いたが、音または音声を用いても同様の作用効果をもたらす。
【００５８】
（実施の形態５）
次に、本発明の実施の形態５について図面を参照しながら説明する。なお、実施の形態１から３と同一のものは同一番号を付し、その詳細な説明を省略する。
【００５９】
図５に示すように、図１から図３のいずれかの構成に加えて水受部６に水受部渇水検知手段１７として磁石を備えた水受フロートと、制御手段１２に水受部渇水スイッチ１８と、水受部６の渇水状態を報知する水受部渇水報知手段１９としてＬＥＤを設け、水受部渇水スイッチ１８からの信号により水受部６が渇水状態になったことを報知する構成とする。
【００６０】
上記構成において、水受部６の水の減少と供に磁石を備えた水受フロートも下がる。水受けフロートの水受部渇水検知手段１７が水受部渇水スイッチ１８まで下がると水受部渇水スイッチ１８が動作し動作信号が制御手段１２に送られる。動作信号により制御手段１２は水受部渇水報知手段１９を動作させ水受部６が渇水状態になったことを報知することができる。
【００６１】
なお、本実施の形態５では、水受部渇水報知手段１９としてＬＥＤを用いたが、音または音声を用いても同様の作用効果をもたらす。
【００６２】
（実施の形態６）
次に、本発明の実施の形態６について図面を参照しながら説明する。なお、実施の形態２から５と同一のものは同一番号を付し、その詳細な説明を省略する。
【００６３】
図６に示すように、図２から５のいずれかの構成に加えて制御手段１２に遅延タイマー２０を備えたものである。遅延タイマー２０はあらかじめ運転時間が設定されており運転時間に応じてファンモーター３の運転を行い多孔質体７を乾燥させる構成とする。
【００６４】
上記構成において、外部スイッチまたはリモコン（図示せず）から停止信号が制御手段１２に送られると水受部６の水位より高い位置に高低差を持たせ配置した多孔質体７に水が接触しないように羽根４の回転速度を減速させる。減速した回転速度を保った状態で遅延タイマー２０の設定時間に応じて１分から５分間、羽根４を回転させる。多孔質体７に水が接触しない状態で回転させることにより多孔質体７を乾燥させ多孔質体７の衛生状態を保つことができる。
【００６５】
（実施の形態７）
次に、本発明の実施の形態７について図面を参照しながら説明する。なお、実施の形態１から６と同一のものは同一番号を付し、その詳細な説明を省略する。
【００６６】
図７に示すように、図１から６のいずれかの構成に加えて飛散防止手段２１として多孔質体７の底部を覆う形状の板を備えた構成とする。
【００６７】
上記構成において、多孔質体７が結露した場合、運転あるいは停止時に水滴が飛散する。多孔質体７を覆った飛散防止手段２１により水滴を受け止め、多孔質体７から水滴が飛散するのを防止することができる。
【００６８】
（実施の形態８）
次に、本発明の実施の形態８について図面を参照しながら説明する。なお、実施の形態５から７と同一のものは同一番号を付し、その詳細な説明を省略する。
【００６９】
図８に示すように、図５から７の構成に加えて加湿装置１外部に外部給水タンク２２と、水受部６に給水する水量を調節する水量調節手段２３として熱動弁を備え、外部給水タンク２２と水量調節手段２３を接続手段２４として給水ホースで接続する。
【００７０】
上記構成において、水受部６の水の減少と供に磁石を備えた水受フロートも下がる。水受けフロートの水受部渇水検知手段１７が水受部渇水スイッチ１８まで下がると水受部渇水スイッチ１８が動作し動作信号が制御手段１２に送られる。動作信号により制御手段１２は水量調節手段２３を開弁し外部給水タンク２２の水は接続手段２４を通り水受部６に給水される。水受部６の水位の上昇と供に水受けフロートの水受部渇水検知手段１７も上昇し水受部渇水スイッチ１８から停止信号が制御手段１２に送られる。停止信号により水量調節手段２３を閉弁し外部給水タンク２２から水受部６に水を給水するのを停止することができる。
【００７１】
（実施の形態９）
次に、本発明の実施の形態９について図面を参照しながら説明する。なお、実施の形態５から７と同一のものは同一番号を付し、その詳細な説明を省略する。
【００７２】
図９に示すように、図５から７の構成に加えて水量調節手段２３として熱動弁に給水設備（図示せず）から給水する給水設備手段２５として給水設備ホースを接続する。
【００７３】
上記構成において、水受部６の水の減少と供に磁石を備えた水受フロートも下がる。水受けフロートの水受部渇水検知手段１７が水受部渇水スイッチ１８まで下がると水受部渇水スイッチ１８が動作し動作信号が制御手段１２に送られる。動作信号により制御手段１２は水量調節手段２３を開弁し給水設備の水は給水設備手段２５を通り水受部６に給水される。水受部６の水位の上昇と供に水受けフロートの水受部渇水検知手段１７も上昇し水受部渇水スイッチ１８から停止信号が制御手段１２に送られる。停止信号により水量調節手段２３を閉弁し給水設備から水受部６に水を給水するのを停止することができる。
【００７４】
（実施の形態１０）
次に、本発明の実施の形態１０について図面を参照しながら説明する。なお、実施の形態１から９と同一のものは同一番号を付し、その詳細な説明を省略する。
【００７５】
図１０に示すように、図１から９の構成に加えて制御手段１２に加湿空間の加湿状態を報知する加湿報知手段２６として湿度３０％、４０％、５０％、６０％を表示するＬＥＤを備えたものである。制御手段１２にはあらかじめ基準周囲湿度が設定されており湿度センサー１３の検出信号と基準周囲湿度の比較結果により該当する加湿報知手段２６を点灯する構成とする。
【００７６】
上記構成において、湿度センサー１３の検出信号から制御手段１２は該当する湿度表示の加湿報知手段２６を点灯し、湿度を報知することができる。
【００７７】
（実施の形態１１）
次に、本発明の実施の形態１１について図面を参照しながら説明する。なお、実施の形態１から１０と同一のものは同一番号を付し、その詳細な説明を省略する。
【００７８】
図１１に示すように、図１から１０の構成に加えて制御手段１２に室内の人を検知する人検知手段２７として赤外線センサを床面に向かって備え、人検知手段２７の検知信号によりファンモーター３を運転あるいは停止する。
【００７９】
上記構成において、人検知手段２７の検知範囲に人体が入ると人検知信号が制御手段１２に送られ制御手段１２はファンモーター３の運転を開始する。人体検知手段２７の検知範囲外に人体が出ると人検知信号がなくなり、制御手段１２はファンモーター３の運転を停止することができる。
【００８０】
（実施の形態１２）
次に、本発明の実施の形態１２について図面を参照しながら説明する。なお、実施の形態１から１１と同一のものは同一番号を付し、その詳細な説明を省略する。
【００８１】
図１２に示すように、図１から１１の構成に加えて制御手段１２にファンモーター３の回転方向を反転させる切換スイッチ２８と、給水される水の渇水状態を検知する水受部渇水検知手段１７の機能を停止する停止スイッチ２９を備え、送風方向を切換える構成とする。
【００８２】
上記構成において、切換スイッチ２８によりモーターの巻線の接続を切換えファンモーター３を逆回転させ天井面から床面に送風させる。給水される水がないことによる水受部渇水検知手段１７は、停止スイッチ２９により検知機能を停止することにより、給水タンク３の水を空または、給水タンクを設置しない状態で送風機として利用することができる。
【産業上の利用可能性】
【００８３】
温水を使用することにより、サウナ装置等にも適用できる。
【図面の簡単な説明】
【００８４】
【図１】本発明の実施の形態１の加湿装置の構成を示す側面概略図
【図２】同加湿装置の実施の形態２の加湿装置の構成を示す側面概略図
【図３】同加湿装置の実施の形態３の加湿装置の構成を示す側面概略図
【図４】同加湿装置の実施の形態４の加湿装置の構成を示す側面概略図
【図５】同加湿装置の実施の形態５の加湿装置の構成を示す側面概略図
【図６】同加湿装置の実施の形態６の加湿装置の構成を示す側面概略図
【図７】同加湿装置の実施の形態７の加湿装置の構成を示す側面概略図
【図８】同加湿装置の実施の形態８の加湿装置の構成を示す側面概略図
【図９】同加湿装置の実施の形態９の加湿装置の構成を示す側面概略図
【図１０】同加湿装置の実施の形態１０の加湿装置の構成を示す側面概略図
【図１１】同加湿装置の実施の形態１１の加湿装置の構成を示す側面概略図
【図１２】同加湿装置の実施の形態１２の加湿装置の構成を示す側面概略図
【図１３】従来の加湿装置の構成図
【符号の説明】
【００８５】
１      加湿装置
２      シャフト
３      ファンモーター
４      羽根
５      給水タンク
６      水受部
７      多孔質体
８      パイプ
９      設置枠
１０    給水弁
１１    蓋
１２    制御手段
１３    湿度センサー
１４    渇水検知手段
１５    渇水磁気スイッチ
１６    渇水報知手段
１７    水受部渇水検知手段
１８    水受部渇水スイッチ
１９    水受部渇水報知手段
２０    遅延タイマー
２１    飛散防止手段
２２    外部給水タンク
２３    水量調節手段
２４    接続手段
２５    給水設備手段
２６    加湿報知手段
２７    人検知手段
２８    切換スイッチ
２９    停止スイッチ
１０１  本体ケース
１０２  水槽
１０３  電動機
１０４  フィルター
１０５  ポンプ
１０６  プロペラファン
１０７  自動湿度コントロール装置
【図１】
2008281225.tif 000003
【図２】
2008281225.tif 000004
【図３】
2008281225.tif 000005
【図４】
2008281225.tif 000006
【図５】
2008281225.tif 000007
【図６】
2008281225.tif 000008
【図７】
2008281225.tif 000009
【図８】
2008281225.tif 000010
【図９】
2008281225.tif 000011
【図１０】
2008281225.tif 000012
【図１１】
2008281225.tif 000013
【図１２】
2008281225.tif 000014
【図１３】
2008281225.tif 000015